(57)【要約】  本発明は、シャワーカーテンが垂直状態に保持され、シャワーを浴びているユーザーにまとわりつくことがないようにするために、シャワーカーテンに開口を設けることなく着脱可能に装着可能な重し装置に関する。この装置は、２つの部分のみからなり、第１の部分は重しをなし、かつ開口２を有する。カーテン４の一部が、長寸の部材をなす係止部材３と共に、開口２を通過するようにする。次に係止部材３の軸線が、開口２に対して直交するようにして、係止部材３が、その長さが開口２の対応する直径よりも大きいことから、開口２から抜き出ないようになる。複数の重し装置をカーテン４の下部に沿って装着し、重量を均等化し、所要の重みを付加することができる。【選択図】  図１
2008540009.tif 000002
【特許請求の範囲】
【請求項１】
シャワーカーテンに開口を設けることなく着脱自在に装着可能な重し装置であって、
重し１と、それをカーテン４に装着するための係止部材３とからなる２つの部分を有することを特徴とする重し装置。
【請求項２】
前記重し１が、カーテン４が裂けることのないように角が無く、開口２を有するワッシャー状の形状をなし、前記係止部材３が、カーテン４の一部に覆われた状態で、前記開口２に突入可能な形状をなすことを特徴とする請求項１に記載の重し装置。
【請求項３】
前記重し１が、ステンレス鋼、その他の金属のように、大きな質量を有するものからなると共に、平板状をなすことを特徴とする請求項２に記載の重し装置。
【請求項４】
前記係止部材３が、少なくとも１つの方向について、その長さが、重し１の開口２の直径よりも大きく、少なくとも１つの方向について、その幅が、重し１の開口２の直径よりも小さいような形状をなすことを特徴とする請求項１乃至３のいずれか１に記載の重し装置。
【請求項５】
前記係止部材３が、氷菓子のバーのような棒状体、蝶ネクタイ状の棒状体、両端が丸められた円筒体、８の字状に折り曲げられた金属ロッド及び楕円状に折り曲げられた金属ロッドから選択された形状をなすことを特徴とする請求項１乃至４のいずれか１に記載の重し装置。
【請求項６】
前記重し装置がカーテン４に装着された後に、前記重し装置に、クリップや弾性変形を利用した係合により留め付けられる装飾的カバーを更に有することを特徴とする請求項１乃至５のいずれか１に記載の重し装置。
【請求項７】
上記した請求項のいずれか１に記載の重し装置を用いてカーテン４に重量を付与するための方法であって、
前記係止部材３を、それを外囲するカーテン４の部分と共に、前記開口２を通過させ、次に前記係止部材３を軸線が、前記開口２に対して直交するようにして、前記係止部材３が、その寸法のおかげで、前記開口２から抜き出ないようにしたことを特徴とする方法。
【請求項８】
複数の重し装置をカーテン４の幅方向に沿って装着し、重量を均等化し、所要の重みを付加するようにしたことを特徴とする請求項７に記載の方法。
【請求項９】
複数の重し装置をカーテン４の下部に沿って千鳥配置したことを特徴とする請求項８に記載の方法。
【発明の詳細な説明】
【技術分野】
【０００１】
本発明は、シャワーカーテンが垂直状態に保持され、シャワーを浴びているユーザーにまとわりつくことがないようにするために、シャワーカーテンに開口を設けることなく着脱自在に装着可能な重し装置に関する。
【背景技術】
【０００２】
シャワーカーテンが垂直状態に保持されずに、シャワーを浴びているユーザーにまとわりつくこと等の問題を解決する一般的な方法としては、従来のシャワーカーテンに代えてシャワーブース或いはシャワーボックスを用いることである。これは有効な解決方法であるが多大のコストを要する。
【発明の開示】
【発明が解決しようとする課題】
【０００３】
ここで提案されている解決方法は、経済的であって、既存のシャワーカーテンを交換することを必要としない。この解決方法には汎用性があり、様々な形式のカーテンに適用することができる。
【課題を解決するための手段】
【０００４】
この装置は極めて単純であって、２つの部分のみからなる。第１の部分は重しをなし、かつ開口２を有する。第２の部分は長寸の部材からなり、それを外囲するカーテン４の部分と共に、前記開口２を通過させ、次に係止部材３を、その軸線が開口２に対して直交するようにして、係止部材３が、その長さが開口２の対応する直径よりも大きいことから、開口２から抜き出ないようにする。
【０００５】
複数の重し装置をカーテン４の下部に沿って装着し、重量を均等化し、所要の重みを付加することができる。
【発明を実施するための最良の形態】
【０００６】
以下に添付の図面を参照して本発明について詳細に説明する。
【０００７】
この装置は極めて単純であって、２つの部分のみからなる。第１の部分は重みを与える部分をなす。第１の部分は重し１と呼ばれ、開口２を有することを特徴とし、ねじやナットと共に用いられるワッシャーのような形状を有するものであって良い。開口２を有するものであれば、それ以外の形状を有するものであって良い。しかしながら、円盤状のものであれば、角が無く、カーテン４が裂ける等の問題を回避することができる。
【０００８】
中心に開口２を有することにより、重し１の質量が均等に分布し、重し１が、カーテン４に取り付けられたときに、その質量のために動き回るのを回避することができる。
【０００９】
重し１は重量を有することによりその機能を発揮し得るものであることから、好ましくは、ステンレス鋼、その他の金属のように、大きな質量を有するものからなると良い。
【００１０】
第２の部分は、バー３と呼ばれ、アイスキャンディーのバーのような棒状のものであって良い。その大きさは、次のような基準により定めると良い。即ち、少なくとも１つの方向について、バー３の長さが、重し１の開口２の直径よりも大きく、少なくとも１つの方向について、バー３の幅が、重し１の開口２の直径よりも小さい。
【００１１】
バー３としては、枚挙しきれないほど様々な長寸形状のものを利用することができる。非限定的に、以下のものを列挙することができる。アイスキャンディーのバーのような棒状体。蝶ネクタイ状の棒状体。両端が丸められた円筒体。８の字状に折り曲げられた金属ロッド。楕円状に折り曲げられた金属ロッド。
【００１２】
これらの部分の係合方法は、シャツのボタンを留めるのと同様に行われる。この装置をカーテン４に取り付けるのは極めて簡単であって、ほんの数秒を要するのみである。先ず、図１に示されるように、カーテン４を、重し１とバー３との間に位置するようにし、好ましくは、重し１がカーテン４の外面側に、バー３がカーテン４の内面側に位置するようにする。
【００１３】
次に、図２に示されるように、バー３を、それを外囲するカーテン４の部分と共に、重し１の開口２内に突入させる。バー３は、図３に示されるように、開口２内に挿入され、他方の側から抜き出された後、図４に示されるように、バー３の軸線が、開口２の軸線に直交するようにする。
【００１４】
その結果、カーテン４は、両部分間に挟み込まれ、重し１が、バー３と共に固定された状態に保持される。これは、バー３の長さが、開口２の直径よりも大きいからである。また、バー３を開口２内に挿入し得るためには、バー３の幅が、重し１の開口２の直径よりも小さくなければならない。
【００１５】
この重し装置は、カーテン４の装着部分のみに、局部的に重量を付加する。従って、重量を均等化し、所要の重みを付加するためには、カーテン４の全幅に渡って取り付けると良い。図５に示されるように、カーテン４の下部に沿って、互い違い配置或いは千鳥配置とすることにより、特に効果的な結果が得られる。
【００１６】
商業的な目的に於いて、審美的な理由により、特定の機能とは関係なく、意匠的な目的で、予めカバーを重し装置に装着しておくこともできる。この場合の重し装置に装着されるカバーは、限定されない様々な態様をもって、重し装置に対してクリップや弾性変形を利用した係合により留め付けることができる。
【００１７】
本発明に基づく装置は、シャワーカーテンやバスルームカーテンの重量を付加するのに適しているが、住宅用カーテン、劇場のカーテン、あらゆる形式の帆、被服或いは服飾用の布などを含む様々な用途にも適用することができる。
【図面の簡単な説明】
【００１８】
【図１】本発明装置の或る組み付け状態を示す斜視図である。
【図２】本発明装置の異なる組み付け状態を示す斜視図である。
【図３】本発明装置の更に異なる組み付け状態を示す斜視図である。
【図４】本発明装置の更に異なる組み付け状態を示す斜視図である。
【図５】本発明装置の更に異なる組み付け状態を示す斜視図である。
【符号の説明】
【００１９】
１  重し                          ２  開口
３  バー（係止部材）              ４  カーテン
【図１】
2008540009.tif 000003
【図２】
2008540009.tif 000004
【図３】
2008540009.tif 000005
【図４】
2008540009.tif 000006
【図５】
2008540009.tif 000007
【手続補正書】
【提出日】平成20年4月8日(2008.4.8)
【手続補正１】
【補正対象書類名】特許請求の範囲
【補正対象項目名】全文
【補正方法】変更
【補正の内容】
【特許請求の範囲】
【請求項１】
シャワーカーテンに開口を設けることなく着脱自在に装着可能な重し装置であって、
カーテン４が裂けることのないように角が無く、開口２を有するワッシャー状の形状をなす重し１と、
前記開口２を通過し得ると共に、少なくとも１つの方向について、その長さが、重し１の開口２の直径よりも大きく、少なくとも１つの方向について、その幅が、重し１の開口２の直径よりも小さいような形状をなす、前記重し１をカーテン４に装着するための係止部材３とからなる２つの部分を有することを特徴とする重し装置。
【請求項２】
前記重し１が、ステンレス鋼、その他の金属のように、大きな質量を有するものからなると共に、平板状をなすことを特徴とする請求項１に記載の重し装置。
【請求項３】
前記係止部材３が、氷菓子のバーのような棒状体、蝶ネクタイ状の棒状体、両端が丸められた円筒体、８の字状に折り曲げられた金属ロッド及び楕円状に折り曲げられた金属ロッドから選択された形状をなすことを特徴とする請求項１若しくは２に記載の重し装置。
【請求項４】
前記重し装置がカーテン４に装着された後に、前記重し装置に、クリップや弾性変形を利用した係合により留め付けられる装飾的カバーを更に有することを特徴とする請求項１乃至３のいずれか１に記載の重し装置。
【請求項５】
シャワーカーテン、住宅用カーテン、劇場のカーテン或いは布などに適用されることを特徴とする請求項１乃至４のいずれか１に記載の重し装置。
【請求項６】
請求項１乃至４のいずれか１に記載の重し装置を用いてカーテン４又は布に重量を付与するための方法であって、
前記係止部材３を、それを外囲するカーテン４又は布の部分と共に、前記開口２を通過させ、次に前記係止部材３を軸線が、前記開口２に対して直交するようにして、前記係止部材３が、その寸法のおかげで、前記開口２から抜き出ないようにしたことを特徴とする方法。
【請求項７】
複数の重し装置をカーテン４又は布の幅方向に沿って装着し、重量を均等化し、所要の重みを付加するようにしたことを特徴とする請求項６に記載の方法。
【請求項８】
複数の重し装置をカーテン４又は布の下部に沿って千鳥配置したことを特徴とする請求項８に記載の方法。
【請求項９】
シャワーカーテン又は布に開口を設けることなく着脱自在に装着された請求項１乃至４のいずれか１に記載の重し装置を取り外すための方法であって、
請求項６に記載された手順を逆に実行して取り外すことを特徴とする方法。
【国際調査報告】
2008540009.tif 000008
2008540009.tif 000009
2008540009.tif 000010
2008540009.tif 000011
2008540009.tif 000012
2008540009.tif 000013